【手続補正書】
【提出日】平成19年12月17日(2007.12.17)
【手続補正１】
【補正対象書類名】明細書
【補正対象項目名】発明の名称
【補正方法】変更
【補正の内容】
【発明の名称】画像処理装置、その制御方法および記憶媒体
【手続補正２】
【補正対象書類名】明細書
【補正対象項目名】特許請求の範囲
【補正方法】変更
【補正の内容】
【特許請求の範囲】
【請求項１】 画像処理サービスを提供する画像処理装置であって、
前記画像処理サービスに関する複数の機能のうち、ユーザにより指示された機能に基づく画像処理を実行する画像処理手段と、
前記画像処理手段により実行される画像処理に対する料金の支払い方法を、複数の支払い方法の中から選択する選択手段と、
前記選択手段により選択された支払い方法に応じて、前記複数の機能に含まれる所定の機能に基づく画像処理の実行を制限する制御手段と、
を備えることを特徴とする画像処理装置。
【請求項２】 前記複数の支払い方法とは、少なくとも第１の支払い方法と第２の支払い方法とを含み、
前記制御手段は、前記選択手段により前記第１の支払い方法が選択された場合は、ユーザが前記所定の機能を指示することを許可し、前記選択手段により前記第２の支払い方法が選択された場合は、ユーザが前記所定の機能を指示することを許可しないことを特徴とする請求項１に記載の画像処理装置。
【請求項３】 前記画像処理手段は、記録媒体上に画像を形成する画像形成手段を備え、
前記画像処理サービスとは、前記画像形成手段により記録媒体上に画像を形成するサービスであることを特徴とする請求項２に記載の画像処理装置。
【請求項４】 前記所定の機能とは、前記画像形成手段により記録媒体上に画像を形成する際に、当該記録媒体の両面に画像を形成する機能であることを特徴とする請求項３に記載の画像処理装置。
【請求項５】 前記画像処理手段は、原稿上の画像を読み取る読取手段を更に備え、
前記画像処理サービスとは、前記画像形成手段により、前記読取手段が読み取った画像を記録媒体上に形成するサービスであることを特徴とする請求項３に記載の画像処理装置。
【請求項６】 前記所定の機能とは、前記読取手段が原稿上の画像を読み取る際に、当該原稿上の画像に基づいて、前記画像形成手段が記録媒体上にカラー画像を形成すべきかまたはモノクロ画像を形成すべきかを自動的に決定する機能であることを特徴とする請求項５に記載の画像処理装置。
【請求項７】 前記第１の支払い方法とは、前記所定の画像処理に対する料金を電子決済により支払う方法であって、前記第２の支払い方法とは、前記所定の画像処理に対する料金を現金で支払う方法であることを特徴とする請求項３乃至６のいずれか１項に記載の画像処理装置。
【請求項８】 前記選択手段により選択された支払い方法を用いて、前記画像処理手段により実行された画像処理に対する料金を徴収する徴収手段を更に備え、
前記徴収手段は、前記選択手段により前記第１の支払い方法が選択された場合は、前記画像処理手段による画像処理の実行が終了した後で、当該実行された画像処理に対する料金を徴収し、前記選択手段により前記第２の支払い方法が選択された場合は、前記画像処理手段が画像処理を実行する際に、前記画像形成手段が１つの記録媒体の片面に画像を形成する毎に料金を徴収することを特徴とする請求項７に記載の画像処理装置。
【請求項９】 画像処理サービスを提供する画像処理装置の制御方法であって、
前記画像処理サービスに関する複数の機能のうち、ユーザにより指示された機能に基づく画像処理を実行する画像処理ステップと、
前記画像処理ステップで実行される画像処理に対する料金の支払い方法を、複数の支払い方法の中から選択する選択ステップと、
前記選択ステップで選択された支払い方法に応じて、前記複数の機能に含まれる所定の機能に基づく画像処理の実行を制限する制御ステップと、
を備えることを特徴とする画像処理装置の制御方法。
【請求項１０】 画像処理サービスを提供する画像処理装置の制御方法をコンピュータに実行させるためのプログラムを記憶した記憶媒体であって、
前記画像処理装置の制御方法は、
前記画像処理サービスに関する複数の機能のうち、ユーザにより指示された機能に基づく画像処理を実行する画像処理ステップと、
前記画像処理ステップで実行される画像処理に対する料金の支払い方法を、複数の支払い方法の中から選択する選択ステップと、
前記選択ステップで選択された支払い方法に応じて、前記複数の機能に含まれる所定の機能に基づく画像処理の実行を制限する制御ステップと、
を備えることを特徴とする記憶媒体。
【手続補正３】
【補正対象書類名】明細書
【補正対象項目名】０００１
【補正方法】変更
【補正の内容】
【０００１】
【発明の属する技術分野】
本発明は、画像処理サービスを提供する画像処理装置、その制御方法および記憶媒体に関する。
【手続補正４】
【補正対象書類名】明細書
【補正対象項目名】００１３
【補正方法】変更
【補正の内容】
【００１３】
本発明は、上記の点に鑑みてなされたもので、選択された支払い方法に応じて、画像処理サービスに関する複数の機能に含まれる所定の機能に基づく画像処理の実行を制限する画像処理装置、その制御方法および記憶媒体を提供することを目的とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
【課題を解決するための手段】
上記目的を達成するため、請求項１に記載の画像処理装置は、画像処理サービスを提供する画像処理装置であって、前記画像処理サービスに関する複数の機能のうち、ユーザにより指示された機能に基づく画像処理を実行する画像処理手段と、前記画像処理手段により実行される画像処理に対する料金の支払い方法を、複数の支払い方法の中から選択する選択手段と、前記選択手段により選択された支払い方法に応じて、前記複数の機能に含まれる所定の機能に基づく画像処理の実行を制限する制御手段と、を備えることを特徴とする。
請求項９に記載の画像処理装置の制御方法は、画像処理サービスを提供する画像処理装置の制御方法であって、前記画像処理サービスに関する複数の機能のうち、ユーザにより指示された機能に基づく画像処理を実行する画像処理ステップと、前記画像処理ステップで実行される画像処理に対する料金の支払い方法を、複数の支払い方法の中から選択する選択ステップと、前記選択ステップで選択された支払い方法に応じて、前記複数の機能に含まれる所定の機能に基づく画像処理の実行を制限する制御ステップと、を備えることを特徴とする。
請求項１０に記載の記憶媒体は、画像処理サービスを提供する画像処理装置の制御方法をコンピュータに実行させるためのプログラムを記憶した記憶媒体であって、前記画像処理装置の制御方法は、前記画像処理サービスに関する複数の機能のうち、ユーザにより指示された機能に基づく画像処理を実行する画像処理ステップと、前記画像処理ステップで実行される画像処理に対する料金の支払い方法を、複数の支払い方法の中から選択する選択ステップと、前記選択ステップで選択された支払い方法に応じて、前記複数の機能に含まれる所定の機能に基づく画像処理の実行を制限する制御ステップと、を備えることを特徴とする記憶媒体。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】０１１４
【補正方法】変更
【補正の内容】
【０１１４】
【発明の効果】
以上説明したように、本発明によれば、選択された支払い方法に応じて、画像処理サービスに関する複数の機能に含まれる所定の機能に基づく画像処理の実行を制限する画像処理装置、その制御方法および記憶媒体を提供できる。
【手続補正４０】
【補正対象書類名】明細書
【補正対象項目名】０１１５
【補正方法】削除
【補正の内容】